(57)【特許請求の範囲】
【請求項１】
パルス幅変調生成回路により記録用レーザパワーを設定する第１のパルス幅変調波形を出力する第１のパルス幅変調設定手段と、
前記パルス幅変調生成回路により再生用レーザパワーを設定する第２のパルス幅変調波形を出力する第２のパルス幅変調設定手段と、
前期第２のパルス幅変調設定手段が出力した前記第２のパルス幅変調波形の周波数帯域の下限が前期第１のパルス幅変調波形の周波数帯域の下限より高く、
前記第１のパルス幅変調波形または第２のパルス幅変調波形を平滑化するローパスフィルタと、
前記ローパスフィルタの出力電圧に応じたレーザパワーを発生してディスクを照射するレーザ光発生回路とを備えたことを特徴とする光ディスク装置。
【請求項２】
パルス幅変調生成回路により記録用レーザパワーを設定する第１のパルス幅変調波形を出力する第１のパルス幅変調設定手段と、
前記パルス幅変調生成回路により再生用レーザパワーを設定する第２のパルス幅変調波形を出力する第２のパルス幅変調設定手段と、
前期第２のパルス幅変調設定手段が出力した前記第２のパルス幅変調波形の周波数帯域の下限が前期第１のパルス幅変調波形の周波数帯域の下限より高く、
前記第１のパルス幅変調波形または第２のパルス幅変調波形を平滑化するローパスフィルタと、
前記ローパスフィルタの出力電圧を、記録時には第１の利得で増幅し、再生時には前記第１の利得より低利得である第２の利得で増幅する利得変換回路と、
前記利得変換回路の出力電圧に応じたレーザパワーを発生してディスクを照射するレーザ光発生回路とを備えたことを特徴とする光ディスク装置。
【請求項３】
第２のパルス幅変調設定手段によりパルス幅変調生成回路は、搬送波周波数が第１のパルス幅変調波形と等しく周波数帯域の下限が前期第１のパルス幅変調波形より高い第２のパルス幅変調波形を出力することを特徴とする請求項１または２に記載の光ディスク装置。
【請求項４】
第２のパルス幅変調設定手段によりパルス幅変調生成回路は、搬送波周波数が第１のパルス幅変調波形と等しくパルス幅が固定である第２のパルス幅変調波形を出力することを特徴とする請求項１または２に記載の光ディスク装置。
【請求項５】
ローパスフィルタは、少なくとも第２のパルス変調波形の周波数帯域を遮断するように設定されていることを特徴とする請求項１ないし４の何れかに記載の光ディスク装置。
【発明の詳細な説明】
【０００１】
【発明の属する技術分野】
本発明は、レーザパワーの設定を記録と再生でそれぞれ最適に行なう光ディスク装置に関するものである。
【０００２】
【従来の技術】
従来、例えばＭＤ（ミニディスク）（登録商標）のような光ディスクに記録再生を行なう光ディスク装置が知られている。これは、記録時には高出力のレーザ光をディスクに照射して光磁気記録を行ない、再生時には低出力のレーザ光をディスクに照射し、ディスク上に記録されているデータ（符号化された音声などの情報信号）により変調された反射光を受光素子で受光してデータの内容を検出するものである。
【０００３】
ディスクの特性のばらつき等を補償するためレーザパワーの調整が必要であり、レーザパワーの設定にはパルス幅変調（Pulse Width Modulation：ＰＷＭ）された波形を平滑化した電圧がよく使用される。
【０００４】
以下、従来の光ディスク装置について、ＭＤを例に、図面を参照しながら説明する。図３は、従来の光ディスク装置の構成（一部）を示すブロック図である。図３において、光ピックアップ３１は、レーザダイオード３２、信号検出用のフォトダイオード３３、モニター用のフォトダイオード３４，検出用抵抗３５から構成されており、レーザダイオード３２のカソード，フォトダイオード３３のアノードは接地され、フォトダイオード３４は、カソードが電源に接続されアノードが抵抗３５を介して接地されている。レーザダイオード３２から出射されたレーザ光は、ディスク３６で反射されフォトダイオード３３で受光される。また、レーザダイオード３２から出射されたレーザ光の一部は、ディスク３６に関係なく直接フォトダイオード３４で受光される。
【０００５】
ＰＮＰ型トランジスタ３７は、エミッタが電源に接続されコレクタがレーザダイオード３２のアノードに接続される。
【０００６】
演算増幅器（ＯＰ）３８は電流電圧変換を行うものであり、その反転入力端子（−）はフォトダイオード３３のカソードに、非反転入力端子（＋）はＤＣ電圧源３９に接続されている。ＤＣ電圧源３９は、例えば電源電圧の１／２の電圧に設定されている。演算増幅器３８の出力用端子４０と反転入力端子は抵抗４１を介して接続されている。
【０００７】
パルス幅変調生成回路（ＰＷＭ生成回路）４２は、レーザパワーの設定値に応じたパルス幅変調波形（以下、ＰＷＭ波形と略称する）を出力する。ローパスフィルタ４３は、パルス幅変調生成回路４２から出力したＰＷＭ波形を平滑して直流電圧を出力するものであり、例えば抵抗とコンデンサで構成されている。ローパスフィルタ４３の出力電圧は、ＰＷＭ波形のパルス幅に比例し、平均波高値に等しい。
【０００８】
演算増幅器４４は、非反転入力端子はフォトダイオード３４のアノードに接続され、反転入力端子はローパスフィルタ４３の出力に接続されている。演算増幅器４４の出力は抵抗４５を介してトランジスタ３７のベースに接続されている。
【０００９】
このように構成された従来の光ディスク装置の動作を説明すると、レーザダイオード３２から出射されたレーザ光はディスク３６を照射し、反射光がフォトダイオード３３に受光され電流に変換される。さらにこの変換された電流は演算増幅器３８と抵抗４１で電流電圧変換され端子４０に出力される。この際、ディスク３６からの反射光に含まれるデータ信号あるいはサーボ系信号が端子４０に出力される。なお通常は、反射光に含まれるデータ信号やサーボ系信号は、それぞれ専用のフォトダイオードおよび電流電圧変換回路で再生される場合が多いが、何れも周知の技術なので説明を割愛する。
【００１０】
一方、レーザダイオード３２から出射されたレーザ光の一部は、フォトトランジスタ３４で受光されることにより、抵抗３５の両端にはレーザダイオード３２のレーザパワーに比例した電圧が出力される。抵抗３５の両端電圧とローパスフィルタ４３の出力電圧との誤差が０になるように演算増幅器４４、抵抗４５、トランジスタ３７が構成されているので、レーザダイオード３２に負帰還がかかりレーザダイオード３２のレーザパワーがコントロールされる。
【００１１】
このように、レーザダイオード３２のレーザパワーは、ローパスフィルタ４３の出力電圧に比例する。
【００１２】
なお、再生用のレーザパワーは低く、記録用のレーザパワーは再生時の数倍から約１０倍である。このためパルス幅変調生成回路４２から出力されるＰＷＭ波形は、記録時には再生時の数倍から約１０倍のパルス幅である。
【００１３】
ここで、パルス幅変調生成回路４２の動作について詳細に説明する。パルス幅変調生成回路４２から出力されるＰＷＭ波形は、搬送波周波数ｆ1のディジタル波形であり、Ｈ（ハイ）レベルの比率が０から１００％まで２m段階（ｍは正の整数）に変化する。以下、このＰＷＭ波形を、便宜上、ｍビットのＰＷＭ波形と称する。特に記録用のレーザパワーは、装置の周囲温度に応じて細かく設定する必要がある。ｍの値が大きいほどＰＷＭ波形を細かく設定できるが、回路規模やクロックの制約があるため、所望の分解能を得ることが難しい。
【００１４】
上記欠点を補うために、ＰＷＭのパルス２n個（ｎは正の整数）の周期で、一周期を構成するパルス２n個についてそれぞれ１段階パルス幅を拡大または縮小させる方法が行なわれる。
【００１５】
この方法によれば各１段階毎にさらに２n段階の中間値が得られることになり、平滑後の電圧で見かけ上、２(m+n)段階の直流電圧が出力することになる。以下、このＰＷＭ波形を、便宜上、擬似（ｍ＋ｎ）ビットのＰＷＭ波形と称する。
【００１６】
具体例として、搬送波周波数ｆ1＝１００ｋＨｚ，ｍ＝４，ｎ＝３の場合、４ｂｉｔ（１６段階）のＰＷＭ波形を、擬似７ｂｉｔ（１２８段階）として動作させることができ、平滑後の直流電圧をより精密に設定できる。換言すれば、設定分解能が向上していることがわかる。
【００１７】
【発明の解決しようとする課題】
しかしながら上記従来の構成では、パルス幅変調波形のスペクトルで、搬送波周波数ｆ1の低域側にも周波数成分が出現する。前記具体例の場合、ｆ1＝１００ｋＨｚに対し、その１／２3（＝１／８）の１２．５ｋＨｚ成分を有する。
【００１８】
ローパスフィルタ４３で１２．５ｋＨｚ成分を完全に除去できず、光ピックアップ３１を経由して、再生信号の品質を劣化させるという問題があった。
【００１９】
この問題の対策として、搬送波周波数ｆ1のアップ、またはローパスフィルタ４３の遮断周波数の低域シフトが考えられたが、前者はパルス幅変調生成回路４２を動作させるための基準クロック周波数が高くなりすぎ、後者はコンデンサの大型化によるコストアップや時定数の長大化による動作遅延という新たな課題が発生し、何れの方法も根本的な解決は不可能であった。
【００２０】
本発明は上記従来の問題点を解決するものであり、記録時にはレーザパワーの設定分解能を確保し、再生時にはレーザパワー設定用パルス幅変調波形に起因するジッタ悪化を防止する光ディスク装置を提供することを目的とする。
【００２１】
【課題を解決するための手段】
上記目的を達成するために本発明の光ディスク装置は、第１のパルス幅変調設定手段により記録用レーザパワーを設定する第１のパルス幅変調波形を出力し、第２のパルス幅変調設定手段により再生用レーザパワーを設定するとともに周波数帯域の下限が前期第１のパルス幅変調波形より高い第２のパルス幅変調波形を出力するパルス幅変調生成回路と、前記第１または第２のパルス幅変調波形を平滑するローパスフィルタと、前記ローパスフィルタの出力電圧を、記録時には第１の利得で増幅し、再生時には前記第１の利得より低利得である第２の利得で増幅する利得変換回路と、前記利得変換回路の出力電圧に応じたレーザパワーを発生してディスクを照射するレーザ光発生回路とを備えたものである。
【００２２】
この構成によれば、再生時におけるパルス幅変調波形のスペクトルで低域周波数成分が発生しないので、再生信号にパルス幅変調波形の低域周波数成分が漏出しジッタを悪化させるという問題を防止できる。また、利得変換回路を備えたことにより、再生用レーザパワーの設定分解能が向上する。
【００２３】
また、本発明の光ディスク装置は、ローパスフィルタが、少なくとも第２のパルス変調波形の周波数帯域を遮断するように設定されていることにより、再生時におけるパルス幅変調波形の低域周波数成分の除去と、記録と再生の切り換え時間などシステム的に要求される応答速度を同時に満足させることができる。
【００２４】
【発明の実施の形態】
以下、本発明の実施の形態について、ＭＤに適用した場合を例に、図面を参照しながら説明する。
【００２５】
（実施の形態）
図１は、本発明の実施の形態における光ディスク装置の構成を示すブロック図である。
【００２６】
図１において、光ピックアップ１は、レーザダイオード２、信号検出用のフォトダイオード３、モニター用のフォトダイオード４、検出用抵抗５から構成されており、レーザダイオード２のカソード、フォトダイオード３のアノードは接地され、フォトダイオード４は、カソードが電源（Ｖｃｃ）に接続されアノードが抵抗５を介して接地されている。レーザダイオード２から出射されたレーザ光は、ディスク６で反射されフォトダイオード３で受光される。また、レーザダイオード２から出射されたレーザ光の一部は、ディスク６に関係なく直接フォトダイオード４で受光される。
【００２７】
ＰＮＰ型トランジスタ７は、エミッタが電源（Ｖｃｃ）に接続されコレクタがレーザダイオード２のアノードに接続される。
【００２８】
演算増幅器（ＯＰ）８は電流電圧変換を行うものであり、反転入力端子（−）はフォトダイオード３のカソードに、非反転入力端子（＋）はＤＣ電圧源９に接続されている。ＤＣ電圧源９は、例えば電源（Ｖｃｃ）の１／２の電圧に設定されている。演算増幅器８の出力用端子１０と反転入力端子は抵抗１１を介して接続されている。なお、通常は、反射光に含まれるデータ信号やサーボ系信号は、それぞれ専用のフォトダイオードおよび電流電圧変換回路で再生される場合が多いが、何れも周知の技術なので説明を割愛する。
【００２９】
演算増幅器（ＯＰ）１２は、非反転入力端子（＋）がフォトダイオード４のアノードに接続され、出力が抵抗１３を介してトランジスタ７のベースに接続されている。
【００３０】
パルス幅変調生成回路（ＰＷＭ生成回路）１４は、レーザパワーの設定値に応じたパルス幅変調波形（以下、ＰＷＭ波形と略称）を出力する。パルス幅変調生成回路１４は、従来の光ディスク装置におけるパルス幅変調生成回路４２と基本的に同様のＰＷＭ波形を出力する。したがって、ここでは詳細な説明を割愛するが、パルス幅変調生成回路１４から出力されるＰＷＭ波形は、搬送波周波数ｆ1のディジタル波形であり、Ｈレベルの比率が０から１００％まで２m段階（ｍは正の整数）に変化するｍビットのＰＷＭ波形である。さらに、ＰＷＭのパルス２n個（ｎは正の整数）の周期で、一周期を構成するパルス２n個についてそれぞれ１段階パルス幅を拡大または縮小させて、見かけ上２(m+n)段階のＰＷＭ波形（疑似（ｍ＋ｎ）ビットのＰＷＭ波形）を出力する。
【００３１】
なお、再生用のレーザパワーは低く、記録用のレーザパワーは再生時の数倍から約１０倍である。このためパルス幅変調生成回路１４から出力されるＰＷＭ波形は、記録時には再生時の数倍から約１０倍のパルス幅である。
【００３２】
記録用変調設定手段１５は、パルス幅変調生成回路１４から記録用のレーザパワー設定値を擬似（ｍ＋ｎ）ビットのＰＷＭ波形で出力させるものである。また再生用変調設定手段１６は、パルス幅変調生成回路１４から再生用のレーザパワー設定値をｍビットのＰＷＭ波形で出力させるものであり、ＰＷＭのパルス２n個の周期によるパルス幅の増減は行なわない。
【００３３】
録再設定手段１７は、記録と再生でセレクタ１８の出力を切換えるものであり、記録時には記録用変調設定手段１５の出力がセレクタ１８を介してパルス幅変調生成回路１４に入力し、再生時には再生用変調設定手段１６の出力がセレクタ１８を介してパルス幅変調生成回路１４に入力するように構成されている。
【００３４】
ローパスフィルタ１９は、パルス幅変調生成回路１４から出力したＰＷＭ波形を平滑して直流成分を出力するものであり、例えば抵抗とコンデンサで構成されている。ローパスフィルタ１９の出力電圧は、ＰＷＭ波形のパルス幅に比例し、平均波高値に等しい。なおローパスフィルタ１９は、ＰＷＭ波形の搬送波周波数ｆ1を完全に減衰させる範囲でできるだけ遮断周波数を高くしており、録再設定手段１７の切り換え動作などによるパルス幅変調生成回路１４の出力変化への応答を早めている。
【００３５】
利得変換回路２０は、ローパスフィルタ１９の出力電圧を、再生時には低利得で増幅し記録時には高利得で増幅する回路である。利得変換回路２０は例えば、再生用の低電圧入力時には低利得で増幅し、記録用の高電圧入力時には高利得で増幅する折線型増幅器で構成されている。利得変換回路２０の出力は演算増幅器１２の反転出力端子に接続されている。
【００３６】
なお、本実施の形態では、パルス幅変調生成回路１４および記録用変調設定手段１５により第１のパルス幅変調手段を構成し、パルス幅変調生成回路１４および再生用変調設定手段１６により第２のパルス幅変調手段を構成するものとする。
【００３７】
このように構成された光ディスク装置の動作について、図２を参照しながら説明する。
【００３８】
図２は、本発明の実施の形態における光ディスク装置の動作説明図であり、同図（１）はパルス幅変調生成回路１４から記録時に出力されるＰＷＭ波形の周波数スペクトル、（２）はパルス幅変調生成回路１４から再生時に出力されるＰＷＭ波形の周波数スペクトル、（３）はローパスフィルタ１９の周波数特性、（４）は記録時のＰＷＭ波形がローパスフィルタ１９で平滑化された波形の周波数スペクトルを示したものである。なお、図２の各図で直流成分の表示は省略している。また、同図の各横軸は周波数、（３）の縦軸は利得（ゲイン）、それ以外の縦軸は周波数スペクトル値（波高値）である。
【００３９】
まず、記録時における動作について説明する。記録時には、録再設定手段１７がセレクタ１８を切換えることにより、記録用変調設定手段１５の出力がセレクタ１８を介してパルス幅変調生成回路１４に入力する。パルス幅変調生成回路１４は、擬似（ｍ＋ｎ）ビットのＰＷＭ波形を出力する。この場合、図２の（１）に示すように搬送波周波数ｆ1の低域側には周波数成分ｆa，ｆb，ｆc，…が出現する。
【００４０】
具体例として、搬送波周波数ｆ1＝１００ｋＨｚ，ｍ＝４，ｎ＝３とすると、４ｂｉｔ（１６段階）のＰＷＭ波形を、擬似７ｂｉｔ（１２８段階）として動作させることができ、平滑後の直流電圧の設定分解能が向上する。この場合、周波数成分ｆa，ｆb，ｆc，…は、１２．５ｋＨｚおよびその整数倍である。
【００４１】
ローパスフィルタ１９で、図２の（３）に示すような減衰特性でＰＷＭ波形を減衰させることにより、ローパスフィルタ１９の出力における平滑電圧の周波数成分は図２の（４）に示すように、直流成分以外にｆa成分など低域周波数成分が残存する。
【００４２】
ローパスフィルタ１９からは記録用レーザパワーを設定する高い平滑電圧が出力するため、利得変換回路２０で高利得で増幅され、演算増幅器１２の反転入力端子に入力される。
【００４３】
さて、レーザダイオード２から出射されたレーザ光はディスク６を照射し、反射光がフォトダイオード３に受光され電流に変換される。さらにこの変換された電流は演算増幅器８と抵抗１１で電流電圧変換され端子１０に出力される。この際、ディスク６からの反射光に含まれるデータ信号あるいはサーボ系信号が端子１０に出力される。なお通常は、反射光に含まれるデータ信号やサーボ系信号は、それぞれ専用のフォトダイオードおよび電流電圧変換回路で再生される場合が多いが、何れも周知の技術なので説明を割愛する。
【００４４】
一方、レーザダイオード２から出射されたレーザ光の一部はフォトトランジスタ４で受光されることにより、抵抗５の両端にはレーザダイオード２のレーザパワーに比例した電圧が出力される。抵抗５の両端電圧と利得変換回路２０の出力電圧との誤差が０になるように演算増幅器１２、抵抗１３、トランジスタ７が構成されているので、レーザダイオード２に負帰還がかかりレーザダイオードのレーザパワーがコントロールされる。このように、レーザダイオード２のレーザパワーは利得変換回路２０の出力電圧に比例する。
【００４５】
ところで周知のように、ＭＤの記録には磁界変調方式が採用されており、記録時のレーザパワーはディスク６の磁性膜をキュリ点温度以上に加熱することに用いられている。このため記録用レーザ光にｆa成分など周波数成分が残存しても記録されたデータにはジッタが悪化するなどの影響がほとんど出ない。従って、ローパスフィルタ１９の遮断周波数を高くすることにより、パルス幅変調生成回路１４の出力変化に対する応答を早くすることが可能である。
【００４６】
次に再生時における動作について説明する。再生時には、録再設定手段１７がセレクタ１８を切換えることにより、再生用変調設定手段１６の出力がセレクタ１８を介してパルス幅変調生成回路１４に入力する。パルス幅変調生成回路１４は、ｍビットのＰＷＭ波形を出力する（図２（２）を参照）。この場合、ＰＷＭ波形のパルス幅が変化しないため、記録時に図２の（４）に示した搬送波周波数ｆ1の低域側の周波数成分ｆa，ｆb，ｆc，…などは、再生時には全く出現しない。
【００４７】
具体例として、記録時のＰＷＭ波形と同じく、搬送波周波数ｆ1＝１００ｋＨｚ，ｍ＝４，ｎ＝３とすると、４ｂｉｔ（１６段階）のＰＷＭ波形である。
【００４８】
ローパスフィルタ１９からは再生用の低い平滑電圧が出力するため、利得変換回路２０で低利得で増幅され、演算増幅器１２の反転入力端子に入力される。再生時の利得が低いので１段階あたりの平滑電圧の変化が圧縮されており、記録の場合と比較して粗い設定分解能を充分補償することができる。
【００４９】
以下は記録の場合と同様なので詳細な説明は割愛するが、レーザダイオード２のレーザパワーは利得変換回路２０の出力電圧に比例する。
【００５０】
この場合、レーザ光にｆa，ｆb，ｆc，…の周波数成分が存在しないため、端子１０に出力した再生信号に、ｆa，ｆb，ｆc，…等の周波数成分が混入することが無く信号品質は劣化しない。
【００５１】
このように本実施の形態によれば、記録時には設定分解能を考慮したＰＷＭ波形、再生時には再生信号品質を考慮したＰＷＭ波形をそれぞれ使用することにより、記録と再生でそれぞれ要求される性能を両立させることが可能となる。
【００５２】
さらに、再生時の利得を記録時の利得より低くした折線型増幅特性を有する利得変換回路２０を用いることにより、再生時におけるＰＷＭ波形の設定分解能を、記録並に細かく設定することも可能である。
【００５３】
なお、記録用変調設定手段１５、再生用変調設定手段１６、録再設定手段１７、セレクタ１８の一部または全てをソフトウェアで実現してもよい。
【００５４】
ところで、本実施の形態では、再生時にパルス幅変調生成回路１４からｍビットのＰＷＭ波形を出力していたが、ローパスフィルタ１９後の残存周波数成分が許容できる範囲において、擬似（ｍ＋ｐ）ビットのＰＷＭ波形（ｐ＜ｎ）を出力するように、再生用変調設定手段１６を構成してもよい。
【００５５】
具体例として、搬送波周波数ｆ1＝１００ｋＨｚ，ｍ＝４，ｐ＝１とおくことにより、４ｂｉｔ（１６段階）のＰＷＭ波形を、擬似５ｂｉｔ（３２段階）として動作させた場合、低域周波数成分としてｆ1／２＝５０ｋＨｚが出現するが、ローパスフィルタ１９で充分減衰させれば装置として実用上問題ない。この場合、再生時のレーザパワーの設定分解能が向上する利点がある。
【００５６】
あるいは、周知の技術を用いて、再生時にパルス幅変調生成回路１４から出力するＰＷＭ波形について、搬送波周波数ｆ1を上げ同時にビット数ｍを下げてもよい。この場合、パルス幅変調生成回路１４を動作させるための基準クロック周波数を上げることなく周波数成分の下限を高くできるので、再生信号品質を改善できる。
【００５７】
さらに、再生時における設定分解能の粗さが許容できれば、利得変換回路２０を削除してもよく、その場合でも、記録時におけるレーザパワー設定分解能の改善と再生時における信号品質改善という本発明の目的は実現できる。
【００５８】
また、上記実施の形態においては、ＭＤを例に説明したが、記録時と再生時とでレーザーパワーが異なる様々なディスクに対して、本発明が適用可能であることは言うまでもない。
【００５９】
【発明の効果】
以上のように、第１のパルス幅変調設定手段により記録用レーザパワーを設定する第１のパルス幅変調波形を出力し、第２のパルス幅変調設定手段により再生用レーザパワーを設定するとともに周波数帯域の下限が前期第１のパルス幅変調波形より高い第２のパルス幅変調波形を出力するパルス幅変調生成回路と、第１または第２のパルス幅変調波形を平滑するローパスフィルタと、ローパスフィルタの出力電圧を、記録時には第１の利得で増幅し、再生時には前記第１の利得より低利得である第２の利得で増幅する利得変換回路と、前記利得変換回路の出力電圧に応じたレーザパワーを発生してディスクを照射するレーザ光発生回路とを備えたことにより、記録時においてレーザパワー設定分解能を改善できるとともに、再生時においてパルス幅変調波形に低域周波数成分が漏出しジッタを悪化させるという問題を防止できる。
【００６０】
また、利得変換回路を備えたことにより、前記効果に加え、再生用レーザパワーの設定分解能を大幅に向上できる利点がある。
【００６１】
さらに、ローパスフィルタが、少なくとも第２のパルス変調波形の周波数帯域を遮断するように設定されていることにより、前記効果に加え、記録と再生の切り換えが早くできる利点がある。
【図面の簡単な説明】
【図１】本発明の実施の形態１における光ディスク装置の構成を示すブロック図
【図２】同光ディスク装置の動作を説明する周波数スペクトル図
【図３】従来例の光ディスク装置の構成を示すブロック図
【符号の説明】
１  光ピックアップ
２  レーザダイオード
３，４  フォトダイオード
５，１１，１３  抵抗
６  ディスク
７  ＰＮＰ型トランジスタ
８，１２  演算増幅器
９  電圧源
１４  パルス幅変調生成回路
１５  記録用変調設定手段
１６  再生用変調設定手段
１７  録再設定手段
１８  セレクタ
１９  ローパスフィルタ
２０  利得変換回路
【図１】
0003767407.tif 000002
【図２】
0003767407.tif 000003
【図３】
0003767407.tif 000004